(57)【要約】【課題】容易に着用でき、痕跡が額等に残ることなく毛髪等の落下を防止できる衛生キャップを提案する。【解決手段】着用者の毛髪等を覆うと共に、顔面を露出する開口部を設けて立体的に構成されたキャップ主体と、その下縁に延長して縫着したケープとからなる衛生キャップであって、キャップ主体の開口縁及びそれと連続するケープの縁部の全域にわたって幅広で伸縮性を有する帯体を縫着し、この帯体の一方の端部には面ファスナーの一方を縫着した折返し片を有する係止片を設け、帯体の他方の端部の途中に他方の面ファスナーを縫着してなる所定長さの係止部を設け、係止片を係止部の任意位置に係着可能とする。また、係止部を設けた側の帯体の端部には第２係止片を設け、他方のキャップ主体とケープの縫合部分に沿って所定長さの第２係止部を設け、第２係止片を第２係止部の任意位置に係着可能とする。【選択図】図１
2010106380.tif 000002
【特許請求の範囲】
【請求項１】
着用者の毛髪及び両耳を覆うと共に、顔面を露出する開口部を設けて立体的に構成されたキャップ主体と、その下縁に延長して縫着したスカート状で打ち合わせ部を有するケープとからなる衛生キャップであって、前記キャップ主体の開口部の開口縁及びそれと連続する前記ケープの打ち合わせ部の縁部の全域にわたって幅広で伸縮性を有する帯体を縫着し、この帯体の一方の端部には面ファスナーの一方を縫着した折返し片を有する係止片を設け、前記帯体の他方の端部の途中に他方の面ファスナーを縫着してなる所定長さの係止部を設け、前記帯体を重ね合わせて前記折返し片を折り返し、係止片を係止部の任意位置に係着可能としたことを特徴とする衛生キャップ。
【請求項２】
さらに、上記係止部を設けた側の帯体の端部には面ファスナーの一方を縫着してなる第２係止片を設け、これと対応する他方のキャップ主体とケープの縫合部分に沿って他方の面ファスナーを縫着してなる所定長さの第２係止部を設け、第２係止片を第２係止部の任意位置に係着可能とした請求項１記載の衛生キャップ。
【請求項３】
上記ケープを省略した衛生キャップであって、帯体は上記キャップ主体の開口部の開口縁に沿って縫着すると共に、これを延長して両端を自由端とし、この帯体の所定位置に、上記構成の折返し片を有する係止片、所定長さの係止部、第２係止片をそれぞれ設け、キャップ主体の下縁に沿って上記第２係止部を設けたことを特徴とする衛生キャップ。
【発明の詳細な説明】
【技術分野】
【０００１】
この発明は、食品関係や電子部品等の製造または包装に従事する作業者が、毛髪やフケ等の脱落を効果的に防止するために利用する衛生キャップの改良に関するものである。
【背景技術】
【０００２】
食品工場や製薬工場などのように衛生上の注意を払う必要がある場所や、半導体等の電子部品の製造ラインのように塵の飛散を回避する必要がある場所において、そこでの作業に従事する作業者が落とす毛髪やフケ、あるいは塵などは、衛生上または品質管理上の弊害が大きいため、作業者の頭を完全に覆う形態の衛生キャップが広く利用されている。
【０００３】
その一例として、特許文献１に開示されたフードがある。このフードの基本的構成は、頭頂部用布と、２枚の後頭部用布と、額部用布と、２枚の中間布とからなり、着用者の顔面を露出する開口縁を設けてその頭部を覆うキャップ部分と、スカート状に広がるケープ布からなり、着用者の首から肩にかけての部分を覆うケープ部分とを有するものである。そして、ケープ布の前側には突き出し部分があり、これを重ねて合わせて面ファスナーなどで留めることにより、首周りに密着、固定するようにして、毛髪等の落下を防止している。また、額部用布の下縁には伸縮性を有する帯状布を縫着し、汗を吸収させると共に、毛髪の落下を防止している。
【０００４】
また、特許文献２に開示された衛生キャップは、本出願人の出願に係るものであるが、その基本的構成は、上記と同様、着用者の頭部を覆うキャップ部分を有し、その開口縁の額部には汗吸収用の帯状布を縫合したものである。さらに、前側に重ね合わせ部分を設けることなく、開口縁を環状とし、弾性帯で構成して、その伸縮性により装着者の顔面との密着性を高めたものである。
【０００５】
上記特許文献１、２に記載されたそれぞれの衛生キャップに係る発明の要旨は、メガネのつるの挿入部の構成に係るものであるが、それとは別に、衛生キャップ本来の目的として、毛髪等の落下を防止する機能を備えている。そのための構成として、特許文献１では、首周りをパイピング処理のされたケープの突き出し部分で覆うことが採用され、特許文献２では、開口縁を弾性帯で構成することが採用されている。
【０００６】
特許文献１に記載のフードでは、一方の突き出し部分の端部内側に雄状の面ファスナーを設け、他方の突き出し部分の外側には、これに対応する雌状の面ファスナーを所定長さで斜めに設けてある。そして、両突き出し部分を重ね合わせたとき、その縁部を着用者の顎下のラインに密着させることができるようになっている。このため、着用者の顔の大きさに応じて、ケープの縁部を合わせることが可能である。
【０００７】
しかしながら、面ファスナー同士を係着させてケープを重ね合わせた場合、突き出し部分の端部にのみ面ファスナーが設けられ、該部で留めるようになっているので、内側の突き出し部分には留める手段がなく、自由になる。そのため、長時間の作業中には、該部が移動して首回りとの密着性を阻害する場合もあり、不快感が残ると共に、毛髪等の落下が完全に防止できないという問題が残されている。
【０００８】
さらに、これらの従来の衛生キャップでは、弾性のないパイピング処理されたケープで首周りを締め付けたり、逆に弾性帯からなる開口縁を密着させたりするものであるから、長時間使用した場合、その締め付けを不快に感じることがある他、顔側面やあご部などに弾性帯の痕跡が残り、衛生キャップを外した後も、その痕跡がとれないという不都合が報告されている。
【０００９】
これらの不都合に対処するため、本出願人は、先に、特許文献３に開示したような衛生キャップを提案している。これは、作業者の頭部を覆うように袋状に構成した帽体の開口縁のおよそ上半分に、伸縮性素材からなる幅広で無端リング状の帯体の縁部を縫着し、帯体の残りは自由部分としたものである。
【００１０】
上記衛生キャップは、無端リング状の帯体で顔面に密着させるものであるので、重ね合わせ部分がなく、上記不都合は生じない、また、額や側頭部に接する部分が幅広の帯体であるので、帯全面で接触し、締め付けによる痕跡が残るという不都合が回避されるものである。
【００１１】
【特許文献１】特開２００２−１６１４２４号公報
【特許文献２】特開２００５−１７１４４１号公報
【特許文献３】特開２００６−２４９６３１号公報
【発明の開示】
【発明が解決しようとする課題】
【００１２】
上記特許文献３に開示された衛生キャップは、上述したように、帯体が無端のリング状であり、その帯体の自由部分の長さを、着用時に引き伸ばしてあご又は前首部に弾性的に掛かる長さとしたものであるが、顔の大きさは、男女によって異なるし、同性でも個人差が大きい。そのため、帯体の長さが固定的であると、着用者によってその締め付けの度合いが異なり、人によっては、なお不快感が残るという問題がある。
【００１３】
また、この衛生キャップは、帯体の自由部分と帽体の弾性縫着部との間隙から頭を挿入するようにして着用する必要があり、その後で、帯体の自由部分をあご又は前首部に掛かるようにする。そして装着後に、後ろ髪部分を弾性縫着部の内側にしまう必要がある。そのため、装着に多少の手間と熟練を要するものとなっている。さらに、上述したように、顔の大きさに個人差があることから、帯体の締め付け度合いによっては、なお、額や顔側面に弾性部材の痕跡が残り、外した後もその痕跡が容易に消えないという不都合が残されている。
【００１４】
本発明は、上記諸課題を解決するために発明をしたものであって、この種の衛生キャップにおいて、容易にかつ確実に着用できると共に、着用者に不快感を与えることなく、また、弾性部材の痕跡が額や顔側面に残ることなく確実に毛髪等の落下を防止できるように改良した衛生キャップを提案するものである。
【課題を解決するための手段】
【００１５】
上記課題を解決するため、本発明は、着用者の毛髪及び両耳を覆うと共に、顔面を露出する開口部を設けて立体的に構成されたキャップ主体と、その下縁に延長して縫着したスカート状で打ち合わせ部を有するケープとからなる衛生キャップであって、前記キャップ主体の開口部の開口縁及びそれと連続する前記ケープの打ち合わせ部の縁部の全域にわたって幅広で伸縮性を有する帯体を縫着し、この帯体の一方の端部には面ファスナーの一方を縫着した折返し片を有する係止片を設け、前記帯体の他方の端部の途中に他方の面ファスナーを縫着してなる所定長さの係止部を設け、前記帯体を重ね合わせて前記折返し片を折り返し、係止片を係止部の任意位置に係着可能とするという手段を採用した。
【００１６】
さらに、上記構成の衛生キャップにおいて、上記係止部を設けた側の帯体の端部には面ファスナーの一方を縫着してなる第２係止片を設け、これと対応する他方のキャップ主体とケープの縫合部分に沿って他方の面ファスナーを縫着してなる所定長さの第２係止部を設け、第２係止片を第２係止部の任意位置に係着可能とするという手段を採用した。
【００１７】
また、上記ケープを省略した衛生キャップであって、帯体は上記キャップ主体の開口部の開口縁に沿って縫着すると共に、これを延長して両端を自由端とし、この帯体の所定位置に、上記構成の折返し片を有する係止片、所定長さの係止部、第２係止片をそれぞれ設け、キャップ主体の下縁に沿って上記第２係止部を設けるという手段を採用した。
【発明の効果】
【００１８】
上記構成を備えた本発明に係る衛生キャップは、帯体の一方の端部に設けた係止片の折返し片を、帯体の他方の端部に設けた係止部に係着するようにしたので、着用者の顔の大きさに合わせて、係着位置を任意に設定することが可能であり、帯体が幅広で伸縮性を有することから、リング状になる帯体が顔面周囲に確実に密着して毛髪や塵の落下を確実に防止できるものである。そして、帯体による締め付けを不快に感じないような位置に係着位置を設定することで、良好な使用感を得ることが可能であり、帯体の締め付けによって顔面に痕跡が残ることも確実に防止できるという優れた効果が期待できるものである。
【００１９】
このとき、内側に位置する帯体の端部を係止片で係着固定するので、従来のように、打ち合わせたときに内側端部が自由となり、長時間の作業中に該部が移動して首回り部での密着性が阻害されることが防止できると共に、不快感が残ることもない。
【００２０】
また、第２係止片と第２係止片を係着させてケープの打ち合わせ部の開きを防止するようにしたので、該部を確実に重ね合わすことができ、毛髪等の落下を防止する。
【００２１】
さらに、ケープを省略した場合であっても、係止片と係止部、第２係止片と第２係止部をそれぞれ係着させれば、上記と同様に、顔面に確実に密着して毛髪等の落下を防止できると共に、使用時に不快感が生じることもなく、顔面に痕跡を残すこともない。
【発明を実施するための最良の形態】
【００２２】
以下、本発明の好ましい実施形態を、添付した図面に従って説明する。図１は、本発明係る衛生キャップの一実施形態の正面図である。図において、１は、例えば、頭頂部用布１ａと、側頭及び額部用布１ｂと、首回り用布１ｃ等で構成され、着用者の頭頂部、後頭部、側頭部、額部、首回り部を覆い、顔面を残して毛髪及び両耳部分を完全に被包するように、前側開口部を設けて立体的に縫製されたキャップ主体である。但し、この構成に限定されるものではなく、上記頭部全体を覆うと共に、顔面が露出するようにした開口部を有する袋状に構成されていればよい。また、その素材も、特に限定するものではないが、例えば、毛髪や塵等の吸着性に優れたいわゆる電石シートや、不織布、各種布帛等を必要に応じて自由に選択できる。また、頭頂部は、通気性を確保するため、メッシュ地を採用することもある。
【００２３】
２は、ケープであって、上記キャップ主体１の下縁に延長して縫着し、首回りから肩をスカート状に覆うようにしたもので、前側を互いに重なる打ち合わせ部２ａ、２ｂとしたものである。このケープ２の素材も、特に限定するものではなく、キャップ主体１と同様に自由に選択できる。なお、ケープ２の外周縁は全周にわたってパイピング加工２ｄを施して、ほつれによる糸くずが生じないようにしている。
【００２４】
３は、上記キャップ主体１の前側開口部の開口縁１ｄ及びそれと連続する上記ケープ２の打ち合わせ部２ａ、２ｂの縁部２ｃの全域にわたって縫着した幅広の帯体で、パイル生地等の伸縮性を有する帯状布で構成したものである。下述するように、この帯体３が、着用者の顔面周囲に沿って軽く密着し、毛髪や塵等の落下を確実に防止する。また、同時に汗などの吸湿作用を有するものである。なお、この帯体の素材も、適度な伸縮性や吸湿性を有するものであれば、特に限定するものではない。
【００２５】
４は、上記帯体３のケープ２を打ち合わせて重ねたときに内側に位置する側の端部に、折返し片４ａを折り返し可能に設けた係止片で、その折返し片４ａの折り返し内側に、雄状の面ファスナーを縫着している。
【００２６】
５は、上記帯体３のケープ２を打ち合わせて重ねたときに外側に位置する側の途中に設けた所定長さの係止部で、雌状の面ファスナーを縫着したものである。この係止部５に上記係止片４の折返し片４ａを折り返して係着させることで、帯体３を無端のリング状に形成し、着用者の顔面に密着させる。この場合、両者の係着部分は、着用者のあご又は前首部に掛かることになるが、係止部５は一定の長さを有しているので、係着位置は着用者の顔の大きさに合わせて任意に設定することが可能である。そして、帯体３が幅広で伸縮性を有していることから、リング状になった帯体３が確実に顔面周囲に密着すると共に、その締め付けを不快に感じないような位置に係着位置を設定すれば、良好な使用感を得ることとができると共に、帯体３の締め付けによって顔面に痕跡が残ることもない。
【００２７】
６は、キャップ主体１の首回り用布１ｃとケープ２の縫合部分に沿って設けた所定長さの第２係止部で、雌状の面ファスナーを縫着したものである。また、７は、上記帯体３のケープ２を打ち合わせて重ねたときに外側に位置する側の端部の内側に設けた第２係止片で、雄状の面ファスナーを縫着したものである。この第２係止片７を前記第２係止部６に係着させることにより、ケープ２の打ち合わせ部２ａ、２ｂを確実に重ね合わせることができる。
【００２８】
なお、上述した各面ファスナーは雌雄一対の組合せで係着するものであるから、係着片と係着部に縫着する場合、雌雄を逆に縫着しても良い。また、８は、キャップ主体１の額部分に設けるひさしであって、必要に応じて設ければよい。その他、図示しないが、前記特許文献１、２のように、帯体３の所定位置にメガネのつるの挿入部を設けたり、側頭部分にマスクのかけ紐を係着可能とする耳状部を設けることも任意である。
【００２９】
また、図３は他の実施形態を示すもので、上記ケープ２を省略すると共に、帯体３の両端を自由端とし、この帯体３に上記構成の係止片４及び係止部５等を設けたものである。かかる構成の衛生キャップであっても、上述した実施形態と同様の作用効果を有するものである。
【００３０】
続いて、上記構成の衛生キャップの使用方法を図２について説明する。この衛生キャップは、前側が開放されているので、頭部の後側から頭部全体を覆うようにして着用する。そして、帯体３の上側部分を額部分に位置させ、顔面の周囲に沿って帯体３が密着するようにしたうえで、左右の打ち合わせ部２ａ、２ｂを互いに重ね合わせ、係止片４の折返し片４ａを折り返して、係止部５に係着させる。このとき、リング状になった幅広の帯体３が全面で確実に顔面周囲に密着すると共に、その締め付けを不快に感じないような位置に係着位置を設定する。これにより、帯体３は見かけ上無端のリング状になるので、毛髪や塵の落下を確実に防止すると共に、その係着位置により、個々の顔の大きさに応じて、良好な使用感を得ることが可能であり、締め付けによって顔面に痕跡を残すこともない。
【００３１】
次いで、帯体３の端部の第２係止片７を、ケープ２の第２係止部６に係着させる。帯体３は、上記折返し片４ａと係止部５の面ファスナーによって確実に係着固定されているので、この第２係止片７と第２係止部６の係着は二次的なものであり、ケープ２が不用意に開かないように留める作用を有する。また、上述のように、上記帯体３のケープ２を打ち合わせて重ねたときに内側に位置する側の端部を折返し片４ａで係着するようにしたので、従来のように、該端部が自由になって、長時間の作業中に該端部が移動してあご又は前首部での密着性を阻害するような支障は生じないし、不快感が残ることもない。
【図面の簡単な説明】
【００３２】
【図１】本発明に係る衛生キャップの一実施形態の正面図である。
【図２】衛生キャップを着用した状態の正面図である。
【図３】ケープを省略した他の実施形態を示す正面図である。
【符号の説明】
【００３３】
１    キャップ本体
１ｄ  開口縁
２    ケープ
２ａ、２ｂ    打ち合わせ部
２ｃ  縁部
３    帯体
４    係止片
４ａ  折返し片
５    係止部
６    第２係止部
７    第２係止片
８    ひさし
【図１】
2010106380.tif 000003
【図２】
2010106380.tif 000004
【図３】
2010106380.tif 000005